(57)【要約】【課題】複数（例えば３つ）の可動部材を設けた場合であっても、この複数の可動部材をそれぞれ効率良く配置するとともに斬新な演出動作を行わせる補助演出動作役物を備える遊技機を提供するものである。【解決手段】第２駆動力伝達部材６１５によって、駆動源（第２駆動モータ６２）の駆動力を第２動作部（胸部６６２）と第３動作部（腹部６６３）とに伝達し、第１動作部（顔部６６１）には、第２動作部及び第３動作部とは異なる動作を行わせる。【選択図】図６
2010099237.tif 000002
【特許請求の範囲】
【請求項１】
所定の演出動作を行う補助演出動作役物と、前記補助演出動作役物の演出動作を制御する演出制御手段と、を備えた遊技機において、
前記補助演出動作役物は、
補助演出動作部と、
前記補助演出動作部を駆動させる駆動源と、
前記駆動源を取り付けるための駆動源取付ベース部材と、
を備え、
前記補助演出動作部は、第１動作部と、第２動作部と、第３動作部と、を備え、
前記駆動源取付ベース部材は、
前記駆動源の駆動力を前記第１動作部に伝達する第１駆動力伝達部材と、
前記駆動源の駆動力を前記第２動作部及び前記第３動作部に伝達する第２駆動力伝達部材と、
を備え、
前記駆動源が駆動して前記第２駆動力伝達部材へ駆動力を伝達させることによって、前記第２動作部及び前記第３動作部の動作を開始させ、
前記第２動作部及び前記第３動作部の動作開始後、前記第２駆動力伝達部材へ伝達させる駆動力を前記第１駆動力伝達部材へも伝達させることによって、前記第１動作部の動作を開始させることを特徴とする遊技機。
【請求項２】
前記第２駆動力伝達部材は、
前記駆動源による回転動力を伝達するクランクと、
前記クランクと、前記第２動作部と、を接続する第１連結部と、
前記クランクと、前記第３動作部と、を接続する第２連結部と、
を備え、
前記第１連結部は、長孔状の第１リンク孔を備え、
前記第２連結部は、前記第１リンク孔の長手方向の長さよりも長い長孔を有する第２リンク孔を備え、
前記クランクは、
前記第１リンク孔に係合するとともに当該第１リンク孔を摺動する第１リンクピンと、
前記第２リンク孔に係合するとともに当該第２リンク孔を摺動する第２リンクピンと、
を備えることを特徴とする請求項１に記載の遊技機。
【請求項３】
前記補助演出動作役物は、前記補助演出動作部が設けられる補助演出動作役物本体部を備え、
前記第１駆動力伝達部材は、
前記駆動源による回転動力を伝達するアームと、
前記アームと、前記第１動作部と、を接続するとともに前記アームによる回転運動を直線運動に変換する変換部材と、
を備え、
前記補助演出動作役物本体部は、
前記変換部材に接続された前記第１動作部が前記直線運動する方向に対して所定の角度をなす傾斜面を有する突出片を備え、
前記第１動作部は、
前記傾斜面に当接する当接ピンと、
当該第１動作部を回動させる回動軸部と、
前記回動軸部と、前記変換部材と、を接続する連結片と、
を備え、
前記当接ピンは、前記第１動作部が前記直線運動した際、前記傾斜面に当接することを特徴とする請求項２に記載の遊技機。
【請求項４】
複数の識別情報を変動表示する変動表示ゲームを表示画面にて実行する変動表示装置を備え、
前記演出制御手段は、
前記変動表示装置の表示制御を行うとともに、前記変動表示装置において実行される変動表示ゲームに基づいて前記補助演出動作役物による所定の演出動作の制御を行い、
前記補助演出動作役物が所定の演出動作を行った場合に、前記表示画面に特定の演出表示をさせることを特徴とする請求項３に記載の遊技機。
【発明の詳細な説明】
【技術分野】
【０００１】
本発明は、所定の演出動作を行う補助演出動作役物と、補助演出動作役物の演出動作を制御する演出制御手段と、を備えた遊技機に関する。
【背景技術】
【０００２】
従来の遊技機、例えば、パチンコ遊技機においては、遊技盤に遊技球が流下可能な遊技領域を区画形成し、該遊技領域の略中央に装飾等の機能を備えた包囲枠としてセンターケースを配置し、該センターケースの奥側に変動表示装置（映像表示装置）としての液晶表示装置を配置している。また、センターケースの下方には、始動入賞口等の始動入賞領域を設定し、遊技球が始動入賞領域へ入賞すると、変動表示装置に複数の識別情報を変動表示して変動表示ゲームを実行する。
そして、センターケースに演出動作を実行可能な補助演出動作役物（演出装置）を配置し、該補助演出動作役物は、単一のモータによって複数の可動部材を可動させることにより、遊技の興趣を増大させ、かつ小型化を達成し得るように構成したパチンコ遊技機が提案されている（例えば、特許文献１参照）。
【特許文献１】特開２００４−１２９８７５号公報
【発明の開示】
【発明が解決しようとする課題】
【０００３】
しかしながら、上記特許文献１の場合、モータからの駆動力を伝達する伝達手段を各可動部材がそれぞれ備えなければならないため、可動部材が増えるに連れて伝達手段も増え、効率良く可動部材を配置することが困難であった。
【０００４】
本発明の目的は、複数（例えば３つ）の可動部材を設けた場合であっても、この複数の可動部材をそれぞれ効率良く配置するとともに斬新な演出動作を行わせる補助演出動作役物を備える遊技機を提供するものである。
【課題を解決するための手段】
【０００５】
以上の課題を解決するため、請求項１に記載の発明は、
所定の演出動作を行う補助演出動作役物と、前記補助演出動作役物の演出動作を制御する演出制御手段と、を備えた遊技機において、
前記補助演出動作役物は、
補助演出動作部と、
前記補助演出動作部を駆動させる駆動源と、
前記駆動源を取り付けるための駆動源取付ベース部材と、
を備え、
前記補助演出動作部は、第１動作部と、第２動作部と、第３動作部と、を備え、
前記駆動源取付ベース部材は、
前記駆動源の駆動力を前記第１動作部に伝達する第１駆動力伝達部材と、
前記駆動源の駆動力を前記第２動作部及び前記第３動作部に伝達する第２駆動力伝達部材と、
を備え、
前記駆動源が駆動して前記第２駆動力伝達部材へ駆動力を伝達させることによって、前記第２動作部及び前記第３動作部の動作を開始させ、
前記第２動作部及び前記第３動作部の動作開始後、前記第２駆動力伝達部材へ伝達させる駆動力を前記第１駆動力伝達部材へも伝達させることによって、前記第１動作部の動作を開始させることを特徴とする。
【０００６】
請求項１に記載の発明によれば、第２駆動力伝達部材によって、駆動源の駆動力を第２動作部と第３動作部とに伝達することができるとともに、この伝達により第２動作部と第３動作部との動作が開始した後、第２駆動力伝達部材へ伝達させる駆動力を第１駆動力伝達部材へも伝達させることによって、第１動作部の動作を開始させることができるので、各動作部毎に伝達部材を備える必要がなくなり、複数の動作部（可動部材）をそれぞれ効率良く構成するとともに伝達部材の数が増えることによるコストを削減でき、また、斬新な演出動作を行わせることができるようになる。
【０００７】
ここで、遊技機には、パチンコ遊技機、アレンジボール遊技機、雀球遊技機などの弾球遊技機や、パチスロ或いはスロットマシーンなどが含まれる。
【０００８】
請求項２に記載の発明は、請求項１に記載の遊技機であって、
前記第２駆動力伝達部材は、
前記駆動源による回転動力を伝達するクランクと、
前記クランクと、前記第２動作部と、を接続する第１連結部と、
前記クランクと、前記第３動作部と、を接続する第２連結部と、
を備え、
前記第１連結部は、長孔状の第１リンク孔を備え、
前記第２連結部は、前記第１リンク孔の長手方向の長さよりも長い長孔を有する第２リンク孔を備え、
前記クランクは、
前記第１リンク孔に係合するとともに当該第１リンク孔を摺動する第１リンクピンと、
前記第２リンク孔に係合するとともに当該第２リンク孔を摺動する第２リンクピンと、
を備えることを特徴とする。
【０００９】
請求項２に記載の発明によれば、駆動源による回転動力によってクランクが回転した際、該クランクに備えられた第１リンクピン及び第２リンクピンに摺動されて第１リンク孔を備える第１連結部及び第２リンク孔を備える第２連結部が可動することとなる。また、第２リンク孔は、第１リンク孔の長手方向の長さよりも長い長孔を有するので、第１連結部が可動し終わっても、第２連結部はさらに、可動を続けることとなる。
従って、第２駆動力伝達部材によって駆動源の駆動力を第２動作部と第３動作部とに伝達することによって、第２動作部と第３動作部とを可動させ、さらに第３動作部だけを可動させることができることとなり、補助演出動作役物によって斬新な演出効果を奏することができるようになる。
【００１０】
請求項３に記載の発明は、請求項２に記載の遊技機であって、
前記補助演出動作役物は、前記補助演出動作部が設けられる補助演出動作役物本体部を備え、
前記第１駆動力伝達部材は、
前記駆動源による回転動力を伝達するアームと、
前記アームと、前記第１動作部と、を接続するとともに前記アームによる回転運動を直線運動に変換する変換部材と、
を備え、
前記補助演出動作役物本体部は、
前記変換部材に接続された前記第１動作部が前記直線運動する方向に対して所定の角度をなす傾斜面を有する突出片を備え、
前記第１動作部は、
前記傾斜面に当接する当接ピンと、
当該第１動作部を回動させる回動軸部と、
前記回動軸部と、前記変換部材と、を接続する連結片と、
を備え、
前記当接ピンは、前記第１動作部が前記直線運動した際、前記傾斜面に当接することを特徴とする。
【００１１】
請求項３に記載の発明によれば、駆動源の駆動力によって、第１動作部は直線運動を行うだけではなく、補助演出動作役物本体部に備えられた突出片の傾斜面に沿っても運動するので、第１動作部は回動軸部を中心として回動することとなり、補助演出動作役物によって、より斬新な演出効果を奏することができるようになる。
【００１２】
請求項４に記載の発明は、請求項３に記載の遊技機であって、
複数の識別情報を変動表示する変動表示ゲームを表示画面にて実行する変動表示装置を備え、
前記演出制御手段は、
前記変動表示装置の表示制御を行うとともに、前記変動表示装置において実行される変動表示ゲームに基づいて前記補助演出動作役物による所定の演出動作の制御を行い、
前記補助演出動作役物が所定の演出動作を行った場合に、前記表示画面に特定の演出表示をさせることを特徴とする。
【００１３】
請求項４に記載の発明によれば、演出制御手段によって、変動表示装置の表示制御を行うとともに、変動表示装置において実行される変動表示ゲームに基づいて補助演出動作役物による所定の演出動作の制御を行い、補助演出動作役物が所定の演出動作を行った場合に、表示画面に特定の演出表示をさせることができるので、変動表示装置における演出表示と補助演出動作役物における演出が融合した従来にない斬新な演出を実現することができるようになる。
【００１４】
ここで、識別情報には、数字、文字、記号およびキャラクタ、並びに、色彩など、視覚により識別可能な識別図柄（識別標識）等が含まれる。
また、変動表示装置は、液晶表示装置、ＣＲＴ（陰極線管）表示装置などの単体の装置であっても、また、これら装置と多数の発光素子を配列した表示装置、回転ドラムを使用したメカ式の表示装置などとの組み合わせでもよく、画像表示可能な領域を含んでいればよい。
【発明の効果】
【００１５】
本発明によれば、第２駆動力伝達部材によって、駆動源の駆動力を第２動作部と第３動作部とに伝達することができるので、各動作部毎に伝達部材を備える必要がなくなり、複数の動作部（可動部材）をそれぞれ効率良く構成するとともに好適に駆動させることができるようになる。
【発明を実施するための最良の形態】
【００１６】
以下、この発明の実施形態について図面を参照して説明する。
ここでは、本発明にかかる遊技機の適例としてのパチンコ遊技機について説明を行う。
【００１７】
図１に示すように、本実施の形態のパチンコ遊技機１００は、内部の遊技領域１ａ内に遊技球を発射して（弾球して）遊技を行うもので、その前側上半部のガラス板の奥側には、遊技領域１ａを構成する遊技盤１が設置されている。
【００１８】
遊技盤１は、各種部材の取付ベースとなる平板状の遊技盤本体１ｂ（木製もしくは合成樹脂製）を備え、該遊技盤本体１ｂの前面に、ガイドレール２で囲まれた遊技領域１ａを有している。また、遊技盤本体１ｂの前面であってガイドレール２の外側には、前面構成部材３，３，…が取り付けられている。そして、このガイドレール２で囲まれた遊技領域１ａ内に発射装置から遊技球（打球；遊技媒体）を発射して遊技を行うようになっている。
【００１９】
遊技領域１ａ内には、普図始動ゲート４と、普図の変動表示ゲームを表示する普図表示器５（図２に図示）が設けられている。また、遊技領域１ａ内には、第１始動入賞口１３（入賞装置）と、第２始動入賞口（入賞装置）としての普通変動入賞装置７（入賞装置）と、補助遊技としての特図変動表示ゲームを表示する特図表示器９（図２に図示）が設けられている。
【００２０】
また、遊技領域１ａの略中央には、変動表示ゲームの表示領域となる窓部２２を形成するセンターケース２０が取り付けられている。このセンターケース２０に形成された窓部２２の後方には、表示装置４１が配設されるようになっている。この表示装置４１は、例えば、液晶ディスプレイを備え、表示内容が変化可能な表示部４２がセンターケース２０の窓部２２を介して遊技盤１の前面側から視認可能となるように配設されている。なお、表示装置４１は、液晶ディスプレイを備えるものに限らず、ＥＬ、ＣＲＴ等のディスプレイを備えるものであっても良い。
【００２１】
また、図１に示すように、センターケース２０の右側には、表示装置４１において実行される変動表示ゲームに基づいて所定の演出動作を行う演出動作役物５０が配設されるとともに、当該所定の演出動作において補助的な演出動作を行う補助演出動作役物６００，７００，８００が、それぞれ、センターケース２０の上部、左側上部及び右側下部に配設されている。
【００２２】
また、図１に示すように、センターケース２０には、当該センターケース２０の左側上部に配設された補助演出動作役物７００の下方にワープ入口２５が配設されており、センターケース２０の外側の遊技領域１ａを流下する遊技球を流入可能とし、このワープ入口２５から流入した遊技球をセンターケース２０の内側に排出させるワープ出口２６等を備えている。
【００２３】
さらに遊技領域１ａには、特別変動入賞装置１０が配設されており、上端側が手前側に倒れる方向に回動して開放可能になっているアタッカ形式の開閉扉１０ａによって開閉される大入賞口を備えていて、特別遊技状態中は、大入賞口を閉じた状態から開いた状態に変換することにより大入賞口内への遊技球の流入を容易にさせる。なお、開閉扉１０ａは、例えば、駆動装置としてのソレノイド（大入賞口開閉ＳＯＬ１０ｂ、図２に図示）により駆動される。また、大入賞口の内部（入賞領域）には、該大入賞口に入った遊技球を検出するカウントＳＷ１０ｃ（図２に図示）が配設されている。
【００２４】
また、遊技領域１ａに設けられた各一般入賞口１２には、一般入賞口１２に入った遊技球を検出するための入賞口ＳＷ１２ａ（図２に図示）が配設されている。そして、遊技を開始することにより遊技領域１ａ内に打ち込まれた遊技球が、一般入賞口１２，１２，…、普通変動入賞装置７、第１始動入賞口１３、特別変動入賞装置１０等の入賞口の何れかに入賞すると、それぞれの入賞口に対応した所定数の賞球が排出装置によって排出される（払い出される）ようになっている。この他、遊技領域１ａには、入賞口などに入賞しなかった遊技球を回収するアウト穴１１、打球方向変換部材としての風車１５、多数の障害釘などが配設されている。
【００２５】
普図始動ゲート４内には、該普図始動ゲート４を通過した遊技球を検出するためのゲートＳＷ４ａ（図２に図示）が設けられている。そして、遊技領域１ａ内に打ち込まれた遊技球が普図始動ゲート４内を通過すると、普図変動表示ゲームが行われる。また、普図変動表示ゲームを開始できない状態、例えば、既に普図変動表示ゲームが行われ、その普図変動表示ゲームが終了していない状態や、普図変動表示ゲームが当って普通変動入賞装置７が開状態に変換されている場合に、普図始動ゲート４を遊技球が通過すると、普図始動記憶数の上限数未満でならば、普図始動記憶数が１加算されて普図始動記憶が１つ記憶されることとなる。
【００２６】
普図（普通図柄）変動表示ゲームは、遊技領域１ａ内に設けられた普図表示器５（図２に図示）で実行されるようになっている。なお、表示装置４１の表示領域の一部で普図変動表示ゲームを表示するようにしても良く、この場合は識別図柄として、例えば、数字、記号、キャラクタ図柄などを用い、これを所定時間変動表示させた後、停止表示させることにより行うようにする。この普図変動表示ゲームの停止表示が特別の結果態様となれば、普図の当りとなって、普通変動入賞装置７の開閉部材７ａ，７ａが所定時間（例えば、０.５秒間）開放される。これにより、普通変動入賞装置７に遊技球が入賞しやすくなり、特図の変動表示ゲームの始動が容易となる。
【００２７】
普通変動入賞装置７は左右一対の開閉部材７ａ，７ａを具備し、第１始動入賞口１３の下部に配設され、この開閉部材７ａ，７ａは、常時は遊技球の直径程度の間隔をおいて閉じた状態（遊技者にとって不利な状態）を保持しているが、普図変動表示ゲームの結果が所定の停止表示態様となった場合には、駆動装置としてのソレノイド（普電ＳＯＬ７ｂ、図２に図示）によって、逆「ハ」の字状に開いて普通変動入賞装置７に遊技球が流入し易い状態（遊技者にとって有利な状態）に変化させられるようになっている。
【００２８】
また、本実施形態のパチンコ遊技機１００は、特図変動表示ゲームの結果態様に基づき、遊技状態として時短状態を発生可能となっている。この時短状態においては、上述の普図変動表示ゲームの実行時間が上述の長い実行時間よりも短くなるように制御され（例えば、１０秒が１秒）、これにより、単位時間当りの普通変動入賞装置７の開放回数が実質的に多くなるように制御される。また、時短状態においては、普図変動表示ゲームが当り結果となって普通変動入賞装置７が開放される場合に、開放時間が通常状態の短い開放時間より長くされるように制御される（例えば、０．３秒が１．８秒）。また、時短状態においては、普図変動表示ゲームの１回の当り結果に対して、普通変動入賞装置７が１回ではなく、複数回（例えば、２回）開放される。さらに、時短状態においては普図変動表示ゲームの当り結果となる確率が通常状態より高くなるように制御される。すなわち、通常状態よりも普通変動入賞装置７の開放回数が増加される。
【００２９】
この第１始動入賞口１３および普通変動入賞装置７は、特図変動表示ゲームの始動入賞口も兼ねている。すなわち、第１始動入賞口１３の内部（入賞領域）に備えられた第１始動口ＳＷ１３ｄ、および、普通変動入賞装置７の内部（入賞領域）に備えられた第２始動口ＳＷ７ｄ（図２に図示）によって遊技球を検出することに基づき、補助遊技としての特図変動表示ゲームを開始する始動権利が発生するようになっている。
【００３０】
この特図変動表示ゲームを開始する始動権利は、所定の上限数（例えば４）の範囲内で始動記憶（特図始動記憶）として記憶される。従って、特図変動表示ゲームが開始可能な状態で、且つ、始動記憶数が０の状態で、普通変動入賞装置７および第１始動入賞口１３の何れかに遊技球が入賞すると、始動権利の発生に伴って始動記憶が記憶されて、始動記憶数が１加算されるととともに、直ちに始動記憶に基づいて、特図変動表示ゲームが開始され、この際に始動記憶数が１減算される。
【００３１】
一方、特図変動表示ゲームが直ちに開始できない状態、例えば、既に特図変動表示ゲームが行われ、その特図変動表示ゲームが終了していない状態や、特別遊技状態となっている場合に、普通変動入賞装置７および第１始動入賞口１３の何れかに遊技球が入賞すると、始動記憶数が上限数未満ならば、始動記憶数が１加算されて始動記憶が１つ記憶されることになる。そして、始動記憶数が１以上となった状態で、特図変動表示ゲームが開始可能な状態（前回の特図変動表示ゲームの終了もしくは特別遊技状態の終了）となると、始動記憶数が１減算されるとともに、記憶された始動記憶に基づいて特図変動表示ゲームが開始される。
【００３２】
特図変動表示ゲームは、遊技領域１ａ内に設けられた特図表示器９（図２に図示）で実行されるようになっており、複数の図柄を変動表示したのち、所定の結果態様を停止表示することで行われる。また、表示装置４１にて複数種類の図柄（例えば、数字、記号、キャラクタ図柄など）を変動表示させる特図変動表示ゲームに対応した飾り特図変動表示ゲームが実行されるようになっている。そして、この特図変動表示ゲームの結果として、特図表示器９の表示態様が特別結果態様（たとえば「７」）となった場合には、大当りとなって特別遊技状態（いわゆる、大当り状態）となる。また、これに対応して表示装置４１の表示態様も特別結果態様（例えば、「７，７，７」等のゾロ目数字の何れか）となる。また、普通変動入賞装置７への遊技球の入賞に基づく特図（特別図柄）変動表示ゲームにおいては、第１始動入賞口１３への遊技球の入賞に基づく特図変動表示ゲームよりも、大当りへの期待度が高い演出が行われるようになっている。なお、遊技機に特図表示器９を備えずに、表示装置４１のみで特図変動表示ゲームを実行するようにしても良い。
【００３３】
また、本実施形態のパチンコ遊技機１００は、特図変動表示ゲームの結果態様に基づき、遊技状態として確変（確率変動）状態を発生可能となっている。この確変状態においては、上述の時短状態に加え、特図変動表示ゲームの当り結果となる確率が通常状態より高くなるように制御される。
【００３４】
また、図２に示すように、パチンコ遊技機１００は、その制御系として遊技の進行を制御する遊技制御装置３０、この遊技制御装置３０の制御下で各種の演出に関する制御を行うサブ制御装置としての演出制御装置４０を備えている。
【００３５】
遊技制御装置３０は、ＣＰＵやＲＯＭ、ＲＡＭなどを備える遊技用ワンチップマイコン３０ａを備えるとともに、入力インタフェース（入力Ｉ／Ｆ）３２、出力インタフェース（出力Ｉ／Ｆ）３３、外部通信端子３１等により構成されている。
【００３６】
遊技用ワンチップマイコン３０ａは、内部のＣＰＵが制御部、演算部を備え、演算制御を行う他、特図変動表示ゲームの大当り判定用乱数値などの各種乱数値なども生成している。
また、ＣＰＵは、第１始動口ＳＷ１３ｄや第２始動口ＳＷ７ｄによる遊技球の検出に従って出力された検出信号が入力されると、ＲＡＭに始動入賞として記憶させる。即ち、第１始動入賞口１３、普通変動入賞装置７に遊技球が入賞することにより、第１始動口ＳＷ１３ｄ、第２始動口ＳＷ７ｄから検出信号が出力され、ＣＰＵに入力されると、ＣＰＵは、第１始動入賞口１３、普通変動入賞装置７に対する遊技球の入賞を検出する。
【００３７】
また、ＣＰＵは、始動入賞に基づいて特図変動表示ゲーム（飾り特図変動表示ゲーム）を開始させる際に、当該特図変動表示ゲームの変動パターン、即ち、識別情報の変動表示時間を含む変動パターンやリーチパターン（リーチアクションの種類）を決定する。
【００３８】
遊技用ワンチップマイコン３０ａの内部のＲＡＭには、第１始動入賞口１３、普通変動入賞装置７に設けられた第１始動口ＳＷ１３ｄ、普通変動入賞装置７に設けられた第２始動口ＳＷ７ｄのオン信号などを記憶する記憶領域や、前記各種乱数値の記憶領域、並びに、ＣＰＵの作業領域等を備えている。即ち、ＲＡＭには、ＣＰＵにより検出された遊技球の入賞が始動入賞として記憶されるようになっている。
【００３９】
遊技用ワンチップマイコン３０ａの内部のＲＯＭには、遊技上の制御プログラムや制御データが書き込まれている他、上述の各種乱数値に対応して、特図変動表示ゲームの大当り発生を判定するための、特図変動表示ゲームの大当り判定値、変動パターン、リーチパターン（リーチアクションの種類）の判定値などが記憶されている。
【００４０】
また、入力インタフェース３２には、ローパスフィルタ及びバッファーゲートを介して、第１始動口ＳＷ１３ｄ、第２始動口ＳＷ７ｄ、入賞口ＳＷ１２ａ，…、ゲートＳＷ４ａ、カウントＳＷ１０ｃ、ガラス枠開放ＳＷ１４６、内枠開放ＳＷ１２１、球切れＳＷ１２２などが接続されている。そして、入力インタフェース３２は、これらから入力された各種信号を中継し、遊技用ワンチップマイコン３０ａに対し出力する。
なお、ガラス枠開放ＳＷ１４６は、クリア部材保持枠が開放されていることを検出するものであり、内枠開放ＳＷ１２１は、前面枠が開放されていることを検出するものである。また、球切れＳＷ１２２は、島設備から供給された遊技球を排出装置に誘導するシュートに設けられ、シュート内の遊技球がなくなったことを検出するものである。
【００４１】
また、出力インタフェース３３には、遊技用ワンチップマイコン３０ａから出力される各種の制御信号が入力される。これら制御信号は、該出力インタフェース３３により中継されて、図示しない出力ポート及びドライバを介して、特図表示器９、普図表示器５、普電ＳＯＬ７ｂ、大入賞口ＳＯＬ１０ｂ、遊技機外部の管理装置などと接続する外部端子板１６、排出制御装置１２５、演出制御装置４０に出力される。
【００４２】
演出制御装置４０は、演算処理用ＣＰＵ、ＲＯＭ、ＲＡＭ及びＶＤＰ等を備えるとともに、通信インタフェース（通信Ｉ／Ｆ）、出力インタフェース（出力Ｉ／Ｆ）等により構成されている。
演出制御装置４０は、通信インタフェースを介して遊技制御装置３０から受信した演出制御データ、演出動作役物５０の駆動を検出する位置検出センサ５３２ｂ（図２に図示）による検出信号に基づいて（遊技制御装置３０の制御の下に）、パチンコ遊技機１００の制御を行うものである。また、演出動作役物５０を駆動させる第１駆動モータ５２、補助演出動作役物６００を駆動させる第２駆動モータ６２、演出動作役物５０に備えられた第１発光素子基板５１２（図２に図示）、第２発光素子基板５１４（図２に図示）、表示装置４１、遊技盤１に設けられた各種ＬＥＤ基板１４４、スピーカ１４５，１５７等が接続され、遊技制御装置３０の制御の下にこれらを制御することで遊技の演出を行うようになっている。
【００４３】
これらの制御回路においては、以下のような遊技制御が行われる。
遊技制御装置３０の遊技用ワンチップマイコン３０ａでは、普図始動ゲート４に備えられたゲートＳＷ４ａからの遊技球の検出信号の入力に基づき、普図の当り判定用乱数値を抽出してＲＯＭに記憶されている判定値と比較し、普図変動表示ゲームの当り外れを判定する処理を行う。そして、普図表示器５に、識別図柄を所定時間変動表示した後、停止表示する普図変動表示ゲームを表示する処理を行う。この普図変動表示ゲームの結果が当りの場合は、普図表示器５に特別の結果態様を表示するとともに、普電ＳＯＬ７ｂを動作させ、普通変動入賞装置７の開閉部材７ａ，７ａを所定時間（例えば、０.５秒間）上述のように開放する制御を行う。
なお、普図変動表示ゲームの結果がはずれの場合は、普図表示器５にはずれの結果態様を表示する制御を行う。
【００４４】
また、第１始動入賞口１３に備えられた第１始動口ＳＷ１３ｄ、普通変動入賞装置７に備えられた第２始動口ＳＷ７ｄからの遊技球の検出信号の入力に基づき始動入賞（始動記憶）を記憶し、この始動記憶に基づき、特図変動表示ゲームの大当り判定用乱数値を抽出してＲＯＭに記憶されている判定値と比較し、特図変動表示ゲームの当り外れを判定する処理を行う。
【００４５】
そして、遊技制御装置３０は、上記の特図変動表示ゲームの判定結果を含む制御信号（演出制御コマンド）を、演出制御装置４０に出力する。そして、特図表示器９に、識別図柄を所定時間変動表示した後、停止表示する特図変動表示ゲームを表示する処理を行う。
また、演出制御装置４０では、遊技制御装置３０からの制御信号に基づき、表示装置４１で特図変動表示ゲームに対応した飾り特図変動表示ゲームを表示する処理を行う。ここで、演出制御装置４０は、遊技制御装置（遊技制御手段）３０からの制御指令に基づいて、変動表示装置としての表示装置４１における飾り特図変動表示ゲームの表示制御及び演出動作役物５０の演出動作を制御する演出制御手段を構成している。
さらに、演出制御装置４０では、遊技制御装置３０からの制御信号に基づき、スピーカ１４５，１５７からの音の出力、各種ＬＥＤ基板１４４のＬＥＤの発光を制御する処理を行う。
【００４６】
そして、遊技制御装置３０の遊技用ワンチップマイコン３０ａは、特図変動表示ゲームの結果が当りの場合は、特図表示器９に特別の結果態様を表示するとともに、特別遊技状態を発生させる処理を行う。
特別遊技状態を発生させる処理においては、例えば、大入賞口ＳＯＬ１０ｂにより特別変動入賞装置１０の開閉扉１０ａを開放し、大入賞口内への遊技球の流入を可能とする制御を行う。そして、大入賞口に所定個数（例えば１０個）の遊技球が入賞するか、大入賞口の開放から所定時間（例えば２５秒または１秒）が経過するかの何れかの条件が達成されるまで大入賞口を開放することを１ラウンドとし、これを所定ラウンド回数（例えば１５回または２回）継続する（繰り返す）制御（サイクル遊技）を行う。
なお、特図変動表示ゲームの結果がはずれの場合は、特図表示器９にはずれの結果態様を表示する制御を行う。
【００４７】
また、遊技制御装置３０の遊技用ワンチップマイコン３０ａは、各種入賞口に設けられたセンサ（第１始動口ＳＷ１３ｄ、第２始動口ＳＷ７ｄ、入賞口ＳＷ１２ａ、カウントＳＷ１０ｃ）から入力される遊技球の検出信号に基づき、排出制御装置１２５の払出モータを制御して所定数の遊技球が払い出されるようにする。
【００４８】
以下に、本実施の形態のパチンコ遊技機１００におけるセンターケース２０、センターケース２０に配設された補助演出動作役物６００、及び、当該補助演出動作役物６００による演出動作について説明する。
【００４９】
センターケース２０は、図３に示すように、前側に配設される前面構成部材２００と、図４に示すように、後側に配設される後面構成部材３００と、から構成されている。このうち、前面構成部材２００は、枠状の前側ベース部材２０１を有し、この前側ベース部材２０１は、周面を形成する周囲壁２０２を有し、この周囲壁２０２にネジ穴やネジ止め部、位置決めのためのボス、ボスを受け入れる凹部やリブを受け入れるスリットなどが形成され、各種部材を適切な位置に固定できるようになっている。また、周囲壁２０２の前端部には、該周囲壁２０２に対して垂直に外側に向かって延出する鍔状の取付ベース２０３が形成されている。
【００５０】
また、前側ベース部材２０１の下側の内周面には、ステージを構成する第１ステージ部２０４が備えられている。この第１ステージ部２０４の上面は、略Ｗ字状の傾斜面となっているとともに、第１ステージ部２０４の上面の左右方向の中央部分は、遊技球を第１始動入賞口１３および普通変動入賞装置７に誘導するように前方に傾斜している。
【００５１】
取付ベース２０３は、遊技盤１に形成された開口の周縁よりも外側に延出するように形成されており、開口にセンターケース２０を前面側から挿入した際に、遊技盤１の前面にその裏面が当接するようになっている。これによって、遊技盤１に対するセンターケース２０の前後位置が所定の前後位置に設定されるようになっている。また、この取付ベース２０３には、前後に貫通するネジ孔が複数形成されており、ネジによってセンターケース２０を遊技盤１に固定できるようになっている。さらに、取付ベース２０３は、遊技盤１の前面側であって遊技者から視認可能な位置に配設されるものであり、その前面には装飾が施されている。
【００５２】
また、前側ベース部材２０１の前面側には鎧部材２１２が取り付けられている。この鎧部材２１２は、センターケース２０の上部および側部において、前方に向かって遊技領域１ａ内に突出するように配設され、鎧部材２１２の前端が遊技領域１ａの前側を覆うガラス枠の内側のガラス板の裏面近傍に配設される。そして、鎧部材２１２は、遊技領域１ａを流下する遊技球が、センターケース２０の上側および側部から凹室２７に進入するのを防止し、表示装置４１の視認性を確保するとともに第１ステージ部２０４上への遊技球の流入数を制限するようになっている。また、前側ベース部材２０１の前面側から見て右側の側部には、補助演出動作役物８００が配設されている。
【００５３】
また、前側ベース部材２０１の前面側から見て左側の側部には、上述したワープ入口２５が配設されており、ワープ入口２５に流入した遊技球は、後述する後面構成部材３００に配設されたワープ流路Ａを通り、ワープ出口２６から排出されるようになっている。
【００５４】
図４に示すように、後面構成部材３００は、枠状の後側ベース部材３０１を有し、この後側ベース部材３０１に各種の部材が取り付けられている。この後側ベース部材３０１はセンターケース２０の後端部に位置するものであって、中央に矩形状の窓部２２を有するとともに、該窓部２２の後端が透明な材質からなる保護パネルによって覆われている。この後側ベース部材３０１の裏面に表示装置４１の前面が当接した状態で固定されることで、表示装置４１の表示領域が区画されるようになっている。また、この窓部２２の周囲であって、後側ベース部材３０１の前面および裏面には、ネジ穴やネジ止め部、位置決めのためのボス、ボスを受け入れる凹部やリブなどが形成され、各種部材を適切な位置に固定できるようになっている。
【００５５】
後側ベース部材３０１の前面には、該後側ベース部材３０１の前側をちょうど覆うように、透明な材質からなる枠状レンズ部材３０４が取り付けられている。この枠状レンズ部材３０４の中央には、後側ベース部材３０１に形成された窓部２２に対応するように矩形状の開口が形成されている。また、この矩形状の開口の周囲には、前面側から見て上部には、補助演出動作役物６００が配設され、また、前面側から見て左側には、補助演出動作役物７００が配設され、さらに、前面側から見て下部右側には、演出動作役物５０が配設されている。
【００５６】
また、枠状レンズ部材３０４の外周には、前方へ延出する板状の周囲壁３０４ａが形成されている。そして、この周囲壁３０４ａの前端部が前面構成部材２００に接続するようになっている。すなわち、後面構成部材３００においては後側ベース部材３０１の前側に枠状レンズ部材３０４が配設され、さらに、その前側に前面構成部材２００が配設されている。そして、後側ベース部材３０１の外周壁３０１ａの外周面と枠状レンズ部材３０４の周囲壁３０４ａの外周面、および前側ベース部材２０１の周囲壁２０２の外周面は、略同一面を形成するようになっている。
【００５７】
また、枠状レンズ部材３０４の下側の内周面には、ステージを構成する第２ステージ部３１２と、該第２ステージ部３１２の後方には、第２ステージ部３１２よりも高い位置に第３ステージ部３１３が備えられている。この第２ステージ部３１２および第３ステージ部３１３は、上述した第１ステージ部２０４と同様に、その上面が、遊技球が転動する面とされ、枠状レンズ部材３０４の下側の内周面に沿って配設されている。
【００５８】
また、枠状レンズ部材３０４の前面側から見て左側の側部には、上述したワープ出口２６が配設されており、該ワープ出口２６から排出された遊技球は、第２ステージ部３１２および第３ステージ部３１３を転動し、第１ステージ部２０４へと導かれるようになっている。また、このワープ出口２６は、第３ステージ部３１３の上面よりも遊技球１個分程度、高い位置に配設されており、ワープ出口２６から第３ステージ部３１３の上面に排出された遊技球は、勢いよく流出され、遊技者に遊技球の転動を楽しませることができるようになっている。
【００５９】
次に、図５〜１５に示すように、補助演出動作役物６００の構成について説明する。
この補助演出動作役物６００は、駆動源としての第２駆動モータ６２を取り付けるための駆動源取付ベース部材６１０と、補助演出動作役物本体部６４０と、所定の演出動作を行う補助演出動作部６６０と、を備えている。
【００６０】
駆動源取付ベース部材６１０は、図５，６に示すように、略矩形状の平板部材により構成されている。駆動源取付ベース部材６１０の略中央には、第２駆動モータ６２の駆動軸６２ａを挿通するための挿通孔６１１が設けられており、当該駆動源取付ベース部材６１０の前面側から駆動軸６２ａを挿通孔６１１に挿通させることができるようになっている。また、駆動源取付ベース部材６１０には、当該駆動源取付ベース部材６１０の前面側から駆動軸６２ａを挿通孔６１１に挿通させた際、第２駆動モータ６２に備えられたネジ孔６２ｂ，６２ｂに対向するようにネジ孔６１２，６１２が設けられている。そして、このネジ孔６２ｂ，６２ｂと、ネジ孔６１２，６１２と、を介してネジ（図示省略）により螺着することで駆動源取付ベース部材６１０に第２駆動モータ６２を取り付けられるようになっている。
【００６１】
また、図６に示すように、駆動源取付ベース部材６１０の裏面側には、第２駆動モータ６２による回転駆動力を伝達する駆動力伝達歯車６１３と、駆動力伝達歯車６１３に伝達された回転駆動力を第１動作部としての顔部６６１に伝達する第１駆動力伝達部材６１４と、駆動力伝達歯車６１３に伝達された回転駆動力を第２動作部としての胸部６６２及び第３動作部としての腹部６６３に伝達する第２駆動力伝達部材６１５と、を備えている。
【００６２】
駆動力伝達歯車６１３は、図６に示すように、欠歯歯車で構成されており、この駆動力伝達歯車６１３の軸受６１３ａに駆動軸６２ａが挿着されるようになっている。また、駆動力伝達歯車６１３の欠歯部分には、アーム６１３ｂが径方向外向きに備えられている。そして、このアーム６１３ｂの先端部後面には、軸受６１３ａに駆動軸６２ａが挿着された際に当該駆動軸６２ａに対して平行となるように円柱状のピン６１３ｃが備えられている。そして、このピン６１３ｃは、第１駆動力伝達部材６１４としての変換部材６１４ａに設けられたガイド孔６１４ｂに挿通されるようになっている。そして、このとき、アーム６１３ｂは、第１駆動力伝達部材６１４の一構成として機能することとなる。
【００６３】
第１駆動力伝達部材６１４は、上述したアーム６１３ｂと、変換部材６１４ａと、を備えて構成されている。図６に示すように、変換部材６１４ａは、略矩形状の平板部材により構成されており、変換部材６１４ａの左右両端部には、それぞれ第１動作部としての顔部６６１を取り付けるためのネジ孔６１４ａ１が縦に２個ずつ形成されている。そして、駆動源取付ベース部材６１０前面の第２駆動モータ６２の取り付け位置両側に形成された開口部６２５，６２５を介して、顔部６６１に備えられた連結片６６１ｅ、６６１ｅが挿通され、ネジ孔６１４ａ１を介して顔部６６１がネジ止めされることとなる。また、変換部材６１４ａの略中央部分には、ピン６１３ｃが駆動力伝達歯車６１３の回転運動に合わせて周方向に回転する際のガイド孔６１４ｂが略円弧状に設けられている。また、変換部材６１４ａに設けられたガイド孔６１４ｂの下方には、駆動力伝達歯車６１３の軸受６１３ａを挿通するための挿通孔６１４ｃが設けられている。この挿通孔６１４ｃは、変換部材６１４ａが上下方向にスライドした場合であっても軸受６１３ａが挿通孔６１４ｃによって係止しないように変換部材６１４ａが上下方向に移動するだけの長さの長孔によって形成されている。また、変換部材６１４ａの左右両端上部にはそれぞれトーションバネＴの一端を固定することができるバネ固定部６１４ｄが備えられており、トーションバネＴの他端を駆動源取付ベース部材６１０に備えられたバネ固定部６２０に固定できるようになっている。
【００６４】
第２駆動力伝達部材６１５は、駆動力伝達歯車６１３に歯合する第１従動歯車６１５ａと、第１従動歯車６１５ａに歯合する第２従動歯車６１５ｂ及び第３従動歯車６１５ｃと、第２従動歯車６１５ｂに歯合する第４従動歯車６１５ｄと、第３従動歯車６１５ｃに歯合する第５従動歯車６１５ｅと、第４従動歯車６１５ｄに歯合する第６従動歯車６１５ｆと、第６従動歯車６１５ｆに歯合する左側セクタ（扇形）歯車６１５ｇと、第５従動歯車６１５ｅに歯合する右側セクタ（扇形）歯車６１５ｈと、を備えている。そして、この第１従動歯車６１５ａ、第２従動歯車６１５ｂ、第３従動歯車６１５ｃ、第４従動歯車６１５ｄ、及び第５従動歯車６１５ｅは、それぞれ駆動源取付ベース部材６１０の裏面に備えられたピンＰに挿通された状態で止め金具Ｓにより挟着されて回転可能に支持されている。また、第２駆動力伝達部材６１５は、図５，７に示すように、駆動源取付ベース部材６１０の前面側に第２駆動モータ６２による回転動力を伝達するクランク６１６と、このクランク６１６と、第２動作部としての胸部６６２と、を接続する第１連結部６１７と、このクランク６１６と、第３動作部としての腹部６６３と、を接続する第２連結部６１８と、を備えている。また、左側セクタ（扇形）歯車６１５ｇ及び右側セクタ（扇形）歯車６１５ｈにはそれぞれトーションバネＴの一端を固定することができるバネ固定部６１５ｇ２，６１５ｈ１が備えられており、トーションバネＴの他端を駆動源取付ベース部材６１０に備えられたバネ固定部６２６に固定できるようになっている。
【００６５】
クランク６１６は、図７に示すように、左側セクタ歯車６１５ｇからの回転動力を伝達する左側クランク６１６ａと、右側セクタ歯車６１５ｈからの回転動力を伝達する右側クランク６１６ｂと、を備えている。
【００６６】
左側クランク６１６ａは、平板部材により構成され、この左側クランク６１６ａの裏面側の一端には回転軸６１６ａ１が垂設されるとともに、その他端には、第２連結部６１８に係合する第２リンクピン６１６ａ３が垂設されている。また、この左側クランク６１６ａの前面側には、第１連結部６１７ａに係合する第１リンクピン６１６ａ２が垂設されている。なお、回転軸６１６ａ１の軸心と第１リンクピン６１６ａ２の軸心とを結ぶ線分の長さが、回転軸６１６ａ１の軸心と第２リンクピン６１６ａ３の軸心とを結ぶ線分の長さよりも短くなるように第１リンクピン６１６ａ２及び第２リンクピン６１６ａ３が設けられている。そして、回転軸６１６ａ１は、補助演出動作役物本体部６４０に設けられた貫通穴６４１、及び駆動源取付ベース部材６１０に設けられた貫通穴６１９を介して左側セクタ歯車６１５ｇに軸着されるようになっている。
【００６７】
右側クランク６１６ｂは、上述した左側クランク６１６ａと左右対称に形成されており、左側クランク６１６ａと同様に平板部材により構成されている。そして、この右側クランク６１６ｂの裏面側の一端には回転軸６１６ｂ１が垂設されるとともに、その他端には、第２連結部６１８に係合する第２リンクピン６１６ｂ３が垂設されている。また、この右側クランク６１６ｂの前面側には、第１連結部６１７ｂに係合する第１リンクピン６１６ｂ２が垂設されている。なお、回転軸６１６ｂ１の軸心と第１リンクピン６１６ｂ２の軸心とを結ぶ線分の長さが、回転軸６１６ｂ１の軸心と第２リンクピン６１６ｂ３の軸心とを結ぶ線分の長さよりも短くなるように第１リンクピン６１６ｂ２及び第２リンクピン６１６ｂ３が設けられている。そして、回転軸６１６ｂ１は、補助演出動作役物本体部６４０に設けられた貫通穴６４１、及び駆動源取付ベース部材６１０に設けられた貫通穴６１９を介して右側セクタ歯車６１５ｈに軸着されるようになっている。
【００６８】
第１連結部６１７は、図７に示すように、左側クランク６１６ａに備えられた第１リンクピン６１６ａ２に係合する左側第１連結部６１７ａと、右側クランク６１６ｂに備えられた第１リンクピン６１６ｂ２に係合する右側第１連結部６１７ｂと、を備えている。
【００６９】
左側第１連結部６１７ａは、平板部材により構成され、この左側第１連結部６１７ａには、左右方向の右端に向けて傾斜する第１リンク孔６１７ａ１が設けられ、この第１リンク孔６１７ａ１の内壁を摺動可能であるとともに第１リンクピン６１６ａ２を軸着可能な軸受６１７ａ２を備えている。また、左側第１連結部６１７ａの周縁には複数のネジ孔６１７ａ３，６１７ａ３，…が設けられており、この複数のネジ孔６１７ａ３，６１７ａ３，…を介して、胸部６６２の裏面に備えられたボス６６２ｂ，６６２ｂ，…にネジ止めされるようになっている。
【００７０】
右側第１連結部６１７ｂは、上述した左側第１連結部６１７ａと左右対称に形成されており、左側第１連結部６１７ａと同様に平板部材により構成されている。そして、この右側第１連結部６１７ｂには、左右方向の左端に向けて傾斜する第１リンク孔６１７ｂ１が設けられ、この第１リンク孔６１７ｂ１の内壁を摺動可能であるとともに第１リンクピン６１６ｂ２を軸着可能な軸受６１７ｂ２を備えている。また、右側第１連結部６１７ｂの周縁には複数のネジ孔６１７ｂ３，６１７ｂ３，…が設けられており、この複数のネジ孔６１７ｂ３，６１７ｂ３，…を介して、胸部６６２の裏面に備えられたボス６６２ｂ，６６２ｂ，…にネジ止めされるようになっている。
【００７１】
第２連結部６１８は、略Ｖ字状の平板部材により構成され、この第２連結部６１８には、左右方向の左端から中央に向けて傾斜する第２リンク孔６１８ａ及び左右方向の右端から中央に向けて傾斜する第２リンク孔６１８ｂが設けられ、この第２リンク孔６１８ａの内壁を摺動可能であるとともに第２リンクピン６１６ａ３を軸着可能な軸受６１８ｃ及びこの第２リンク孔６１８ｂの内壁を摺動可能であるとともに第２リンクピン６１６ｂ３を軸着可能な軸受６１８ｄを備えている。また、第２連結部６１８の下端部には複数のネジ孔６１８ｅ，６１８ｅ，…が設けられており、この複数のネジ孔６１８ｅ，６１８ｅ，…を介して、腹部６６３の裏面に備えられたボス６６３ａ，６６３ａ，…にネジ止めされるようになっている。また、図８（１）（２）に示すように、第２リンク孔６１８ａ及び第２リンク孔６１８ｂの長手方向の長さ（ｄ２＝４２．６３ｍｍ）は、第１リンク孔６１７ａ１及び第１リンク孔６１７ｂ１の長手方向の長さ（ｄ１＝２６．３５ｍｍ）よりも長く設計されている。なお、左側第１連結部６１７ａ及び右側第１連結部６１７ｂは、上述のように、左右対称の部材であるため、図８（１）には、右側第１連結部６１７ｂのみを記載し、左側第１連結部６１７ａについては省略した。
【００７２】
また、駆動源取付ベース部材６１０裏面には、近接センサ６２１が備えられており、この近接センサ６２１は、左側セクタ（扇形）歯車６１５ｇに備えられた突出片６１５ｇ１の有無を検知することで、補助演出動作役物６００が可動したかどうかを検知することができるようになっている。また、駆動源取付ベース部材６１０裏面には、中継基板６２２が備えられており、第２駆動モータ６２からの配線や補助演出動作部６６０に備えられた各ＬＥＤ基板１４４からの配線、近接センサ６２１からの配線を中継し、演出制御装置４０に接続されるようになっている。
【００７３】
補助演出動作役物本体部６４０は、駆動源取付ベース部材６１０の前面に配置されるようになっており、回転軸６１６ａ１及び回転軸６１６ｂ１を挿通する貫通穴６４１，６４１と、駆動源取付ベース部材６１０の前面に取り付けられた第２駆動モータ６２及び顔部６６１に備えられた連結片６６１ｅ，６６１ｅを挿通する開口部６４２と、補助演出動作役物本体部６４０の前面から裏面に向かって傾斜する傾斜面を有する突出部６４３と、ＬＥＤ発光部６４４，６４４と、装飾部材６４５と、を備えている。
【００７４】
貫通穴６４１は、補助演出動作役物本体部６４０の右側下部及び左側下部に設けられており、補助演出動作役物本体部６４０の裏面側からは駆動源取付ベース部材６１０の前面に凸起した貫通穴６１９，６１９を挿通可能であるとともに、補助演出動作役物本体部６４０の前面側からは回転軸６１６ａ１及び回転軸６１６ｂ１を挿通可能となっている。
【００７５】
開口部６４２は、円柱形をなす第２駆動モータ６２を挿通可能なように補助演出動作役物本体部６４０の略中央には円形の開口が形成されるとともに、この開口の両端には、連結片６６１ｅ，６６１ｅが上下に往復運動可能な幅を有した矩形状の開口が形成されている。
【００７６】
突出部６４３は、顔部６６１の内面に備えられた当接ピン６６１ｂに当接する傾斜面を有する突出片６４３ａと、この突出片６４３ａが当接ピン６６１ｂに当接するように前後位置を調整した土台部６４３ｂと、を備えている。
【００７７】
突出片６４３ａは、上端面が補助演出動作役物本体部６４０の前面側から裏面側に向けて傾斜した傾斜面を構成している。
【００７８】
土台部６４３ｂは、補助演出動作役物本体部６４０の前面に垂設された２本の脚部６４３ｂ１，６４３ｂ１と、この脚部６４３ｂ１，６４３ｂ１に架けられた載置部６４３ｂ２とを備え、この載置部６４３ｂ２に突出片６４３ａが取り付けられるようになっている。
【００７９】
ＬＥＤ発光部６４４は、ＬＥＤ（図示省略）を備えたＬＥＤ基板１４４と、ＬＥＤによる発光を透過させる透過部材６４４ａと、を備えており、ＬＥＤ基板１４４は、補助演出動作役物本体部６４０の裏面側から、そして、透過部材６４４ａはＬＥＤ基板１４４に対向する位置に補助演出動作役物本体部６４０の前面側からそれぞれ取り付けられるようになっている。なお、このとき、ＬＥＤ基板１４４に繋がれる配線（図示省略）は、駆動源取付ベース部材６１０の前面上部に設けられた上溝６２３内に嵌入可能となっている。
【００８０】
装飾部材６４５は、蓋部６４５ａと、底部６４５ｂと、により構成され、この蓋部６４５ａと、底部６４５ｂと、の間には、ＬＥＤ（図示省略）を備えたＬＥＤ基板１４４が配設されている。そして、この蓋部６４５ａの略中央にはＬＥＤによる発光を透過させる透過部材６４５ａ１が備えられている。また、底部６４５ｂの裏面には、２つのボス（図示省略）が備えられており、補助演出動作役物本体部６４０の右側前面に備えられた２つの突起部６４５ｃ，６４５ｃに嵌着されるようになっている。なお、この装飾部材６４５は、ロボットを演出する補助演出動作役物６００のうちロボットが有する盾を演出するものである。      
【００８１】
補助演出動作部６６０は、補助演出動作役物本体部６４０の前面に配置されるようになっており、第１動作部としての顔部６６１と、第２動作部としての胸部６６２と、第３動作部としての腹部６６３と、を備えている。
【００８２】
顔部６６１は、ロボットを演出する補助演出動作役物６００のうちロボットの顔を演出する部材で構成され、顔部６６１のうち目を演出する箇所（例えば、図１３参照）にはＬＥＤによる発光を透過させる透過部材６６１ａが備えられ、顔部６６１の裏面には、透過部材６６１ａに対向する位置にＬＥＤ基板１４４が配置されるようになっている。なお、顔部６６１が補助演出動作役物本体部６４０を介して駆動源取付ベース部材６１０に取り付けられたとき、顔部６６１の裏面に備えられたＬＥＤ基板１４４に繋がれる配線（図示省略）は、駆動源取付ベース部材６１０の前面下部に設けられた下溝６２４内に嵌入可能となっている。
【００８３】
また、図１５に示すように、顔部６６１の裏面上部には、突出片６４３ａに当接する当接ピン６６１ｂを備えるとともに、顔部６６１の裏面下部には、引張バネ６６１ｃを備えている。この当接ピン６６１ｂは、軸方向が顔部６６１の左右方向に一致するように配設されている。また、引張バネ６６１ｃは、その一端に備えられたフックが顔部６６１の裏面下部に係合されるとともに、その他端に備えられたフックは補助演出動作役物本体部６４０に係合されるようになっている。
【００８４】
また、顔部６６１の左右両端部には、それぞれ顔部６６１を回動させるための回動軸部６６１ｄを備え、この回動軸部６６１ｄに連結片６６１ｅが連結されている。そして、この回動軸部６６１ｄは、軸方向が顔部６６１の左右方向に一致するように配設されている。
【００８５】
胸部６６２は、ロボットを演出する補助演出動作役物６００のうちロボットの胸を演出する部材で構成され、この胸部６６２の左右両端にはＬＥＤによる発光を透過させる透過部材６６２ａが備えられ、胸部６６２の裏面には、透過部材６６２ａに対向する位置にＬＥＤ基板１４４が配置されるようになっている。
【００８６】
また、胸部６６２の裏面には、上述したように、左側第１連結部６１７ａ及び右側第１連結部６１７ｂを取り付けるための複数のボス６６２ｂ，６６２ｂ，…が所定の位置に配設されている。さらに、胸部６６２の裏面には、腹部６６３の可動をガイドするガイド部材６６２ｃを備えており、ガイド部材６６２ｃもまたボス６６２ｂ，６６２ｂ，…にネジ止めされるようになっている。
【００８７】
ガイド部材６６２ｃは、略矩形状の平板部材で構成されており、その左右両端部には、リンク孔６６２ｃ１，６６２ｃ１を備えるとともに、その中央には、スリット６６２ｃ２を備えている。
【００８８】
リンク孔６６２ｃ１は、縦長の長孔により構成されており、リンク孔６６２ｃ１の内壁を摺動可能な軸受６６２ｃ３を備えている。そして、この軸受６６２ｃ３は、後述する腹部６６３に備えられたリンクピン６６３ｂを軸着可能となっている。
【００８９】
スリット６６２ｃ２は、縦長の短冊状の長孔により構成されており、このスリット６６２ｃ２内に後述する腹部６６３の前面に備えられた突出片６６３ｃが挿通可能となっている。
【００９０】
腹部６６３は、ロボットを演出する補助演出動作役物６００のうちロボットの腹を演出する部材で構成され、補助演出動作役物本体部６４０の前面側、かつ、胸部の裏面側に配置されるようになっている。この腹部６６３の裏面には、上述したように、第２連結部６１８を取り付けるための複数のボス６６３ａ，６６３ａ，…が所定の位置に配設されている。また、腹部６６３の左右両端部には、それぞれ、腹部６６３の前面側に向かってリンクピン６６３ｂが垂設され。このリンクピン６６３ｂは、軸受６６２ｃ３に軸着されるようになっている。また、腹部６６３の中央部には、腹部６６３の前面側に向かって突出片６６３ｃが垂説され、この突出片６６３ｃは、スリット６６２ｃ２に挿通されるようになっている。
【００９１】
次に、図９〜１５に示すように、補助演出動作役物６００の演出動作について説明する。
【００９２】
まず、図９に示すように、表示装置４１において変動表示ゲームが行われており、左図柄、右図柄、中図柄の識別情報が変動中の場合、補助演出動作役物６００は、通常状態（演出動作前）にある。具体的には、図１０（１）に示すように、第２駆動モータ６２の駆動軸６２ａを軸着した駆動力伝達歯車６１３は、初期位置に配置され、この駆動力伝達歯車６１３のアーム６１３ｂに備えられたピン６１３ｃの位置は、変換部材６１４ａに形成されたガイド孔６１４ｂの駆動源取付ベース部材６１０の裏面側から見て左側端に位置した状態となっている。従って、この段階では、ピン６１３ｃが変換部材６１４ａを押圧していないので、補助演出動作部６６０を構成する顔部６６１も通常状態（図１５（１）参照）にある。また、このとき、左側セクタ歯車６１５ｇに備えられた突出片６１５ｇ１は、近接センサ６２１に対向する位置に配設されており、これにより、補助演出動作役物６００が通常状態（演出動作前）にあることを検知することができるようになっている。また、図１０（２）に示すように、通常状態（演出動作前）では、補助演出動作部６６０を構成する胸部６６２及び腹部６６３は前後に重なり合った状態で基準位置Ｂの高さに配置されている。
【００９３】
次いで、図１１に示すように、例えば、表示装置４１において実行されている変動表示ゲームがリーチ状態となった場合、補助演出動作役物６００の胸部６６２及び腹部６６３が駆動し、表示装置４１の前面を覆う位置に移動する（第１段階）。具体的には、図１２（１）に示すように、第２駆動モータ６２の駆動軸６２ａを軸着した駆動力伝達歯車６１３は、第２駆動モータ６２の駆動によって、駆動源取付ベース部材６１０の裏面側から見て時計回りに回動を開始する。そして、このとき、駆動力伝達歯車６１３のアーム６１３ｂに備えられたピン６１３ｃの位置は、変換部材６１４ａに形成された円弧状のガイド孔６１４ｂの略中央に位置した状態となっている。従って、この段階では、ピン６１３ｃが変換部材６１４ａを押圧していないので、補助演出動作部６６０を構成する顔部６６１は通常状態（図１５（１）参照）にある。また、このとき、駆動力伝達歯車６１３の回動に従動して左側セクタ歯車６１５ｇ及び右側セクタ歯車６１５ｈも回動し、左側セクタ歯車６１５ｇ及び右側セクタ歯車６１５ｈに軸着された回転軸６１６ａ１及び回転軸６１６ｂ１も回転することとなる。これにより、図１２（２）に示すように、左側クランク６１６ａは補助演出動作部６６０の裏面側から見て反時計回りに回動するとともに右側クランク６１６ｂは補助演出動作部６６０の裏面側から見て時計回りに回動する。そして、このとき、左側クランク６１６ａに備えられた第１リンクピン６１６ａ２及び第２リンクピン６１６ａ３は、それぞれ第１リンク孔６１７ａ１及び第２リンク孔６１８ａを押圧しながら、第１リンク孔６１７ａ１及び第２リンク孔６１８ａそれぞれの内壁を摺動する。そして、第１リンクピン６１６ａ２及び第２リンクピン６１６ａ３によって押圧された第１リンク孔６１７ａ１を備える左側第１連結部６１７ａ及び第２リンク孔６１８ａを備える第２連結部６１８は下方に可動する。また、同様に、右側クランク６１６ｂに備えられた第１リンクピン６１６ｂ２及び第２リンクピン６１６ｂ３は、それぞれ第１リンク孔６１７ｂ１及び第２リンク孔６１８ｂを押圧しながら、第１リンク孔６１７ｂ１及び第２リンク孔６１８ｂそれぞれの内壁を摺動する。そして、第１リンクピン６１６ｂ２及び第２リンクピン６１６ｂ３によって押圧された第１リンク孔６１７ｂ１を備える右側第１連結部６１７ｂ及び第２リンク孔６１８ｂを備える第２連結部６１８は下方に可動する。そして、左側第１連結部６１７ａ及び右側第１連結部６１７ｂに接続された胸部６６２は、基準位置Ｃの高さに配置され、第２連結部６１８に接続された腹部６６３は、基準位置ＣとＤの中間位置の高さに配置される。
【００９４】
次いで、図１３に示すように、補助演出動作役物６００の胸部６６２が最下点まで可動した後も時間差を設けて腹部６６３がさらに駆動し、表示装置４１の前面を覆う位置に移動する（第２段階）。そして、このとき、表示装置４１には、補助演出動作役物６００の顔部６６１、胸部６６２、腹部６６３に関連した脚部Ｆが表示され、補助演出動作役物６００と、表示装置４１における演出との融合により、ロボットの役物が姿を現すという特定の演出を実行可能となっている。具体的には、図１４（１）に示すように、第２駆動モータ６２の駆動軸６２ａを軸着した駆動力伝達歯車６１３は、第２駆動モータ６２の駆動によって、駆動源取付ベース部材６１０の裏面側から見て時計回りに回動を継続する。そして、このとき、駆動力伝達歯車６１３のアーム６１３ｂに備えられたピン６１３ｃの位置は、変換部材６１４ａに形成されたガイド孔６１４ｂの駆動源取付ベース部材６１０の裏面側から見て右側端に位置した状態となっている。従って、このとき、ピン６１３ｃが変換部材６１４ａを下方に押圧する力が発生する。これにより、変換部材６１４ａは押下げられ、この変換部材６１４ａに接続された顔部６６１も押下げられ、顔部６６１の裏面に備えられた当接ピン６６１ｂは、補助演出動作役物本体部６４０に備えられた突出片６４３ａに当接するとともに、突出片６４３ａの上面を摺動することにより、顔部６６１は回動軸部６６１ｄを中心として回転し、顔部６６１の下端部（ロボットの顎の部分）が前面側に突き出るような動作（図１５（２）参照）を行う。なお、顔部６６１の下端部の裏面には引張バネ６６１ｃが備えられているため、この引張バネ６６１ｃの付勢により、好適に顔部６６１の位置を元に戻すことが可能となっている。
【００９５】
また、このとき、駆動力伝達歯車６１３の回動に従動して左側セクタ歯車６１５ｇ及び右側セクタ歯車６１５ｈも回動し、左側セクタ歯車６１５ｇ及び右側セクタ歯車６１５ｈに軸着された回転軸６１６ａ１及び回転軸６１６ｂ１も回転することとなる。これにより、図１４（２）に示すように、左側クランク６１６ａは補助演出動作部６６０の裏面側から見て反時計回りに回動するとともに右側クランク６１６ｂは補助演出動作部６６０の裏面側から見て時計回りに回動する。そして、このとき、左側クランク６１６ａに備えられた第１リンクピン６１６ａ２及び第２リンクピン６１６ａ３は、それぞれ第１リンク孔６１７ａ１及び第２リンク孔６１８ａを押圧しながら、第１リンク孔６１７ａ１及び第２リンク孔６１８ａそれぞれの内壁を摺動する。そして、このとき、第２リンク孔６１８ａの長手方向の長さが第１リンク孔６１７ａ１の長手方向の長さよりも長いため、第１リンクピン６１６ａ２が第１リンク孔６１７ａ１の一端から他端まで摺動し終わった後でも、第２リンクピン６１６ａ３は、さらに、第２リンク孔６１８ａの内壁を摺動可能となっている。また、同様に、第２リンク孔６１８ｂの長手方向の長さが第１リンク孔６１７ｂ１の長手方向の長さよりも長いため、第１リンクピン６１６ｂ２が第１リンク孔６１７ｂ１の一端から他端まで摺動し終わった後でも、第２リンクピン６１６ｂ３は、さらに、第２リンク孔６１８ｂの内壁を摺動可能となっている。これにより、左側第１連結部６１７ａ及び右側第１連結部６１７ｂに接続された胸部６６２は、最下点である基準位置ＣとＤの中間位置に可動した後も、第２連結部６１８に接続された腹部６６３は、さらに基準位置Ｄの高さまで可動することとなる。
【００９６】
以上のように、所定の演出動作を行う補助演出動作役物６００と、補助演出動作役物６００の演出動作を制御する演出制御手段（演出制御装置４０）と、を備えたパチンコ遊技機１００において、補助演出動作役物６００は、補助演出動作部６６０と、補助演出動作部６６０を駆動させる駆動源（第２駆動モータ６２）と、駆動源を取り付けるための駆動源取付ベース部材６１０と、を備え、補助演出動作部６６０は、第１動作部（顔部６６１）と、第２動作部（胸部６６２）と、第３動作部（腹部６６３）と、を備え、駆動源取付ベース部材６１０は、駆動源の駆動力を第１動作部に伝達する第１駆動力伝達部材６１４と、駆動源の駆動力を第２動作部及び第３動作部に伝達する第２駆動力伝達部材６１５と、を備え、駆動源が駆動して第２駆動力伝達部材へ駆動力を伝達させることによって、第２動作部及び第３動作部の動作を開始させ、該第２動作部及び第３動作部の動作開始後、第２駆動力伝達部材へ伝達させる駆動力を第１駆動力伝達部材へも伝達させることによって、第１動作部の動作を開始させることとなる。
【００９７】
従って、第２駆動力伝達部材６１５によって、駆動源（第２駆動モータ６２）の駆動力を第２動作部（胸部６６２）と第３動作部（腹部６６３）とに伝達することができるとともに、この伝達により第２動作部（胸部６６２）と第３動作部（腹部６６３）との動作が開始した後、第２駆動力伝達部材６１５へ伝達させる駆動力を第１駆動力伝達部材６１４へも伝達させることによって、第１動作部（顔部６６１）の動作を開始させることができるので、各動作部毎に伝達部材を備える必要がなくなり、複数の動作部（可動部材）をそれぞれ効率良く構成するとともに伝達部材の数が増えることによるコストを削減でき、また、斬新な演出動作を行わせることができるようになる。
【００９８】
また、第２駆動力伝達部材６１５は、駆動源（第２駆動モータ６２）による回転動力を伝達するクランク６１６と、クランク６１６と、第２動作部（胸部６６２）と、を接続する第１連結部６１７と、クランク６１６と、第３動作部（腹部６６３）と、を接続する第２連結部６１８と、を備え、第１連結部は、長孔状の第１リンク孔６１７ａ１，６１７ｂ１を備え、第２連結部６１８は、第１リンク孔６１７ａ１，６１７ｂ１の長手方向の長さよりも長い長孔を有する第２リンク孔６１８ａ，６１８ｂを備え、クランク６１６は、第１リンク孔６１７ａ１，６１７ｂ１に係合するとともに当該第１リンク孔６１７ａ１，６１７ｂ１を摺動する第１リンクピン６１６ａ２，６１６ｂ２と、第２リンク孔６１８ａ，６１８ｂに係合するとともに当該第２リンク孔６１８ａ，６１８ｂを摺動する第２リンクピン６１６ａ３，６１６ｂ３と、を備えたこととなる。
【００９９】
これにより、駆動源（第２駆動モータ６２）による回転動力によってクランク６１６が回転した際、該クランク６１６に備えられた第１リンクピン６１６ａ２，６１６ｂ２及び第２リンクピン６１６ａ３，６１６ｂ３に摺動されて第１リンク孔６１７ａ１，６１７ｂ１を備える第１連結部６１７及び第２リンク孔６１８ａ，６１８ｂを備える第２連結部６１８が可動することとなる。また、第２リンク孔６１８ａ，６１８ｂは、第１リンク孔６１７ａ１，６１７ｂ１の長手方向の長さよりも長い長孔を有するので、第１連結部６１７が可動し終わっても、第２連結部６１８はさらに、可動を続けることとなる。
従って、第２駆動力伝達部材６１５によって駆動源（第２駆動モータ６２）の駆動力を第２動作部（胸部６６２）と第３動作部（腹部６６３）とに伝達することによって、第２動作部と第３動作部とを可動させ、さらに第３動作部だけを可動させることができることとなり、補助演出動作役物６００によって斬新な演出効果を奏することができるようになる。
【０１００】
また、補助演出動作役物６００は、補助演出動作部６６０が設けられる補助演出動作役物本体部６４０を備え、第１駆動力伝達部材６１４は、駆動源（第２駆動モータ６２）による回転動力を伝達するアーム６１３ｂと、当該アーム６１３ｂと、第１動作部（顔部６６１）と、を接続するとともにアーム６１３ｂによる回転運動を直線運動に変換する変換部材６１４ａと、を備え、補助演出動作役物本体部６４０は、変換部材６１４ａに接続された第１動作部が直線運動する方向に対して所定の角度をなす傾斜面を有する突出片６４３ａを備え、第１動作部は、傾斜面に当接する当接ピン６６１ｂと、当該第１動作部を回動させる回動軸部６６１ｄと、この回動軸部６６１ｄと、変換部材６１４ａと、を接続する連結片６６１ｅと、を備え、当接ピン６６１ｂは、第１動作部が直線運動した際、突出片６４３ａの傾斜面に当接することとなる。
【０１０１】
従って、駆動源（第２駆動モータ６２）の駆動力によって、第１動作部（顔部６６１）は直線運動を行うだけではなく、補助演出動作役物本体部６４０に備えられた突出片６４３ａの傾斜面に沿っても運動するので、第１動作部は回動軸部６６１ｄを中心として回動することとなり、補助演出動作役物６００によって、より斬新な演出効果を奏することができるようになる。
【０１０２】
また、当該パチンコ遊技機１００は、複数の識別情報を変動表示する変動表示ゲームを表示画面にて実行する表示装置４１を備え、演出制御手段（演出制御装置４０）は、表示装置４１の表示制御を行うとともに、表示装置４１において実行される変動表示ゲームに基づいて補助演出動作役物６００による所定の演出動作の制御を行い、補助演出動作役物６００が所定の演出動作を行った場合に、表示画面に特定の演出表示をさせたこととなる。
【０１０３】
従って、演出制御手段（演出制御装置４０）によって、表示装置４１の表示制御を行うとともに、表示装置４１において実行される変動表示ゲームに基づいて補助演出動作役物６００による所定の演出動作の制御を行い、補助演出動作役物６００が所定の演出動作を行った場合に、表示画面に特定の演出表示をさせることができるので、表示装置４１における演出表示と補助演出動作役物６００における演出が融合した従来にない斬新な演出を実現することができるようになる。
【０１０４】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１０５】
例えば、本実施例において、補助演出動作部は、第１動作部、第２動作部、第３動作部と、を備える構成としたが、これに限らず、３つ以上の動作部を備える構成としても良い。
【図面の簡単な説明】
【０１０６】
【図１】本発明を適用した一実施の形態の構成を示すパチンコ遊技機における遊技盤の正面図である。
【図２】本発明を適用した一実施の形態の構成を示すパチンコ遊技機の制御系の一部を示すブロック図である。
【図３】センターケースを構成する前面構成部材を示す斜視図である。
【図４】センターケースを構成する後面構成部材を示す斜視図である。
【図５】補助演出動作役物の前面側から見た分解斜視図である。
【図６】駆動源取付ベース部材の裏面側から見た分解斜視図である。
【図７】補助演出動作部の裏面側から見た分解斜視図である。
【図８】（１）第１連結部（右側第１連結部）を示す背面図、（２）第２連結部を示す背面図である。
【図９】補助演出動作役物における演出動作および変動表示装置における表示の一例を示す図である。
【図１０】（１）図９における演出動作時の駆動源取付ベース部材の背面図、（２）図９における演出動作時の補助演出動作部の背面図である。
【図１１】補助演出動作役物における演出動作および変動表示装置における表示の一例を示す図である。
【図１２】（１）図１１における演出動作時の駆動源取付ベース部材の背面図、（２）図１１における演出動作時の補助演出動作部の背面図である。
【図１３】補助演出動作役物における演出動作および変動表示装置における表示の一例を示す図である。
【図１４】（１）図１３における演出動作時の駆動源取付ベース部材の背面図、（２）図１３における演出動作時の補助演出動作部の背面図である。
【図１５】第１動作部の演出動作状態を示す図である。
【符号の説明】
【０１０７】
１００              パチンコ遊技機
１                  遊技盤
４０                演出制御装置（演出制御手段）
４１                表示装置（変動表示装置）
５０                演出動作役物
６２                第２駆動モータ（駆動源）
６００              補助演出動作役物
６１０              駆動源取付ベース部材
６１４              第１駆動力伝達部材
６１５              第２駆動力伝達部材
６４０              補助演出動作役物本体部
６６０              補助演出動作部
６６１              顔部（第１動作部）
６６２              胸部（第２動作部）
６６３              腹部（第３動作部）
【図１】
2010099237.tif 000003
【図２】
2010099237.tif 000004
【図３】
2010099237.tif 000005
【図４】
2010099237.tif 000006
【図５】
2010099237.tif 000007
【図６】
2010099237.tif 000008
【図７】
2010099237.tif 000009
【図８】
2010099237.tif 000010
【図９】
2010099237.tif 000011
【図１０】
2010099237.tif 000012
【図１１】
2010099237.tif 000013
【図１２】
2010099237.tif 000014
【図１３】
2010099237.tif 000015
【図１４】
2010099237.tif 000016
【図１５】
2010099237.tif 000017